(57)【要約】【課題】明るさが互いに異なる複数の画像データを含む画像ファイルによる画像と、単一の画像データを含む画像ファイルによる画像とをそれぞれ適切な表示方法で１画面に同時に表示することのできる技術を提供する。【解決手段】本発明の表示装置は、複数のフレームメモリ、入力された画像ファイルが、単一の画像データを含む第１画像ファイルであるか、明るさが互いに異なる複数の画像データを含む第２画像ファイルであるかを判定する手段、第１画像ファイルが入力された場合に、単一の画像データを複数のフレームメモリのそれぞれに書き込み、第２画像ファイルが入力された場合に、第２画像ファイルに含まれる複数の画像データを、それぞれ、複数のフレームメモリに書き込む手段、複数のフレームメモリを順番に切り替えながら、フレームメモリに書き込まれた全ての画像データを読み出して表示する手段、を有する。【選択図】図１
2011081199.tif 000002
【特許請求の範囲】
【請求項１】
複数のフレームメモリと、
入力された画像ファイルが、単一の画像データを含む第１画像ファイルであるか、明るさが互いに異なる複数の画像データを含む第２画像ファイルであるかを判定する判定手段と、
前記第１画像ファイルが入力された場合に、前記単一の画像データを前記複数のフレームメモリのそれぞれに書き込み、前記第２画像ファイルが入力された場合に、前記第２画像ファイルに含まれる複数の画像データを、それぞれ、前記複数のフレームメモリに書き込む書き込み手段と、
前記複数のフレームメモリを順番に切り替えながら、前記フレームメモリに書き込まれた全ての画像データを読み出して表示する表示手段と、
を有することを特徴とする表示装置。
【請求項２】
フレームメモリと、
入力された画像ファイルが、単一の画像データを含む第１画像ファイルであるか、明るさが互いに異なる複数の画像データを含む第２画像ファイルであるかを判定する判定手段と、
前記第１画像ファイルが入力された場合に、前記単一の画像データを前記フレームメモリに書き込み、前記第２画像ファイルが入力された場合に、前記第２画像ファイルに含まれる複数の画像データのいずれかを前記フレームメモリに書き込む書き込み手段と、
前記フレームメモリに書き込まれた全ての画像データを繰り返し読み出して表示する表示手段と、
を有し、
前記書き込み手段は、前記第２画像ファイルが入力された場合に、前記第２画像ファイルに含まれる複数の画像データのうち、前記フレームメモリに書き込まれる画像データを、前記表示手段による読み出しのタイミングと同期して順番に切り替える
ことを特徴とする表示装置。
【請求項３】
複数のフレームメモリを有する表示装置の制御方法であって、
入力された画像ファイルが、単一の画像データを含む第１画像ファイルであるか、明るさが互いに異なる複数の画像データを含む第２画像ファイルであるかを判定する判定ステップと、
前記第１画像ファイルが入力された場合に、前記単一の画像データを前記複数のフレームメモリのそれぞれに書き込み、前記第２画像ファイルが入力された場合に、前記第２画像ファイルに含まれる複数の画像データを、それぞれ、前記複数のフレームメモリに書き込む書き込みステップと、
前記複数のフレームメモリを順番に切り替えながら、前記フレームメモリに書き込まれた全ての画像データを読み出して表示する表示ステップと、
を有することを特徴とする表示装置の制御方法。
【請求項４】
フレームメモリを有する表示装置の制御方法であって、
入力された画像ファイルが、単一の画像データを含む第１画像ファイルであるか、明るさが互いに異なる複数の画像データを含む第２画像ファイルであるかを判定する判定ステップと、
前記第１画像ファイルが入力された場合に、前記単一の画像データを前記フレームメモリに書き込み、前記第２画像ファイルが入力された場合に、前記第２画像ファイルに含まれる複数の画像データのいずれかを前記フレームメモリに書き込む書き込みステップと、
前記フレームメモリに書き込まれた全ての画像データを繰り返し読み出して表示する表示ステップと、
を有し、
前記書き込みステップでは、前記第２画像ファイルが入力された場合に、前記第２画像ファイルに含まれる複数の画像データのうち、前記フレームメモリに書き込まれる画像データを、前記表示ステップでの読み出しのタイミングと同期して順番に切り替える
ことを特徴とする表示装置の制御方法。
【発明の詳細な説明】
【技術分野】
【０００１】
本発明は、表示装置及びその制御方法に関する。
【背景技術】
【０００２】
従来から、ダイナミックレンジの広い画像を得る方法が知られている。
例えば、特許文献１には、適正露光の画像と、露光を変えた画像を合成することにより、ダイナミックレンジの広い画像を得る装置が開示されている。
特許文献２には、撮像時間の異なる画像を合成することにより、ダイナミックレンジの広い画像を得る装置が開示されている。
【０００３】
また、明るさが互いに異なる少なくとも２つの画像（濃淡画像）を、毎秒１２０回程の早さで順番に繰り返し表示すると、表示装置で処理できる階調数よりも多い階調数の画像を表示しているように見せることができる。この表示方法を、ＨＤＲ（Ｈｉｇｈ  Ｄｙｎａｍｉｃ  Ｒａｎｇｅ）表示と呼ぶ。
ＨＤＲ表示を行うためには、少なくとも２つの濃淡画像が必要である。以後、これらの濃淡画像のデータ（明るさが互いに異なる複数の画像データ）を含む画像ファイルをＨＤＲファイルと呼ぶ。
【０００４】
一方、ビットマップ画像データやＪＰＥＧ画像データなどのような、単一の画像データを含む画像ファイル（非ＨＤＲファイル）による画像の表示方法は、ＨＤＲ表示とは異なる。そのため、ＨＤＲファイルによる画像と非ＨＤＲファイルによる画像とをそれぞれ適切な表示方法で１画面に同時に表示することは課題となる。
【先行技術文献】
【特許文献】
【０００５】
【特許文献１】特開平８−２１４２１１号公報
【特許文献２】特開２００３−４６８５７号公報
【発明の概要】
【発明が解決しようとする課題】
【０００６】
本発明は、明るさが互いに異なる複数の画像データを含む画像ファイルによる画像と、単一の画像データを含む画像ファイルによる画像とをそれぞれ適切な表示方法で１画面に同時に表示することのできる技術を提供することを目的とする。
【課題を解決するための手段】
【０００７】
本発明の表示装置は、複数のフレームメモリと、入力された画像ファイルが、単一の画像データを含む第１画像ファイルであるか、明るさが互いに異なる複数の画像データを含む第２画像ファイルであるかを判定する判定手段と、第１画像ファイルが入力された場合に、単一の画像データを複数のフレームメモリのそれぞれに書き込み、第２画像ファイルが入力された場合に、第２画像ファイルに含まれる複数の画像データを、それぞれ、複数のフレームメモリに書き込む書き込み手段と、複数のフレームメモリを順番に切り替えながら、フレームメモリに書き込まれた全ての画像データを読み出して表示する表示手段と、を有することを特徴とする。
【０００８】
また、本発明の表示装置は、フレームメモリと、入力された画像ファイルが、単一の画像データを含む第１画像ファイルであるか、明るさが互いに異なる複数の画像データを含む第２画像ファイルであるかを判定する判定手段と、第１画像ファイルが入力された場合
に、単一の画像データをフレームメモリに書き込み、第２画像ファイルが入力された場合に、第２画像ファイルに含まれる複数の画像データのいずれかをフレームメモリに書き込む書き込み手段と、フレームメモリに書き込まれた全ての画像データを繰り返し読み出して表示する表示手段と、を有し、書き込み手段は、第２画像ファイルが入力された場合に、第２画像ファイルに含まれる複数の画像データのうち、フレームメモリに書き込まれる画像データを、表示手段による読み出しのタイミングと同期して順番に切り替えることを特徴とする。
【０００９】
本発明の表示装置の制御方法は、複数のフレームメモリを有する表示装置の制御方法であって、入力された画像ファイルが、単一の画像データを含む第１画像ファイルであるか、明るさが互いに異なる複数の画像データを含む第２画像ファイルであるかを判定する判定ステップと、第１画像ファイルが入力された場合に、単一の画像データを複数のフレームメモリのそれぞれに書き込み、第２画像ファイルが入力された場合に、第２画像ファイルに含まれる複数の画像データを、それぞれ、複数のフレームメモリに書き込む書き込みステップと、複数のフレームメモリを順番に切り替えながら、フレームメモリに書き込まれた全ての画像データを読み出して表示する表示ステップと、を有することを特徴とする。
【００１０】
また、本発明の表示装置の制御方法は、フレームメモリを有する表示装置の制御方法であって、入力された画像ファイルが、単一の画像データを含む第１画像ファイルであるか、明るさが互いに異なる複数の画像データを含む第２画像ファイルであるかを判定する判定ステップと、第１画像ファイルが入力された場合に、単一の画像データをフレームメモリに書き込み、第２画像ファイルが入力された場合に、第２画像ファイルに含まれる複数の画像データのいずれかをフレームメモリに書き込む書き込みステップと、フレームメモリに書き込まれた全ての画像データを繰り返し読み出して表示する表示ステップと、を有し、書き込みステップでは、第２画像ファイルが入力された場合に、第２画像ファイルに含まれる複数の画像データのうち、フレームメモリに書き込まれる画像データを、表示ステップでの読み出しのタイミングと同期して順番に切り替えることを特徴とする。
【発明の効果】
【００１１】
本発明によれば、明るさが互いに異なる複数の画像データを含む画像ファイルによる画像と、単一の画像データを含む画像ファイルによる画像とをそれぞれ適切な表示方法で１画面に同時に表示することのできる技術を提供することができる。
【図面の簡単な説明】
【００１２】
【図１】実施例１に係る表示装置の機能構成を示すブロック図。
【図２】非ＨＤＲファイルとＨＤＲファイルの構成を示す図。
【図３】実施例１に係る表示装置における画像の表示方法を示す図。
【図４】実施例１に係る表示装置における処理の流れを示すフローチャート。
【図５】実施例２に係る表示装置の機能構成を示すブロック図。
【図６】実施例２に係る表示装置における画像の表示方法を示す図。
【図７】実施例２に係る表示装置における処理の流れを示すフローチャート。
【発明を実施するための形態】
【００１３】
＜実施例１＞
以下に、本発明の実施例１に係る表示装置及びその制御方法について説明する。図１は、本実施例に係る表示装置１００の機能構成の一例を示すブロック図である。
【００１４】
取り外し可能な記録媒体１０１、ＨＤＤ（Ｈａｒｄ  Ｄｉｓｋ  Ｄｒｉｖｅ）１０２、メモリ１０３は画像ファイルを記憶可能な記録部である。
ＣＰＵ１０４は、上記記録部（例えば、ユーザが指定した記録部）からシステムバス１０９を介して画像ファイル（ユーザが指定した画像ファイル）を読み込む。ＣＰＵ１０４は、読み込んだ画像ファイル（入力された画像ファイル）が、非ＨＤＲファイル（第１画像ファイル）であるか、ＨＤＲファイル（第２画像ファイル）であるかを判定する。そして、判定結果に基づいて、画像ファイルに含まれる画像データをシステムバス１０９を介して、フレームメモリ１０５やフレームメモリ１０６に書き込む。また、ＣＰＵ１０４は、システムバス１０９を介して制御信号を出力することにより、上述した記録部や後述する表示制御部１０７を制御する。非ＨＤＲファイルやＨＤＲファイルについては後述する。
表示制御部１０７は、フレームメモリ１０５やフレームメモリ１０６から画像データを読み出し、表示部１０８に出力する。表示部１０８は、入力された画像データに基づく画像を表示する。また、表示制御部１０７は、所定の画像データ（本実施例では単一色の画像のデータ）を表示部１０８に出力する。それにより、表示部１０８に、フレームメモリに記録された画像データに基づく画像を表示させないようにすることができる。なお、表示部１０８としては、電子放出素子を有するディスプレイ、液晶ディスプレイ、プラズマディスプレイ、有機ＥＬディスプレイなどを適用すればよい。
【００１５】
図２は、非ＨＤＲファイルとＨＤＲファイルの構成の一例を示す図である。
ＨＤＲファイル２００は、ＨＤＲ表示を行うために必要なファイルである。ＨＤＲファイル２００は、明るさが互いに異なる複数の画像データ（画像データ２０２，２０３）を含む。画像データ２０２，２０３は、例えば、互いに異なる露光時間で撮影することによって得られるデータである。以下、画像データ２０２を、短い露光時間で撮影することによって得られるデータ（濃い画像データ）、画像データ２０３を、長い露光時間で撮影することによって得られるデータ（淡い画像データ）として説明する。なお、ＨＤＲファイル２００は、複数の画像データの他に、サムネイル画像のデータ、適正濃度の画像のデータなどを含んでいてもよい。
【００１６】
非ＨＤＲファイル２０６は、ＨＤＲ表示に対応していないファイルである。非ＨＤＲファイル２０６は、単一の画像データ２０５を含む。なお、非ＨＤＲファイル２０６は、単一の画像データの他に、サムネイル画像のデータなどを含んでもよい。
【００１７】
次に、本実施例に係る表示装置における、ＨＤＲファイルによる画像と非ＨＤＲファイルによる画像とを１画面に同時に表示する際の処理の流れについて説明する。
図３は、本実施例において、ＨＤＲファイルによる画像と非ＨＤＲファイルによる画像とを同時に表示する際の、フレームメモリ１０５およびフレームメモリ１０６に書き込まれる画像データと、表示部１０８で表示される画像の一例を示す図である。
図４は、本実施例において、ＨＤＲファイルによる画像と非ＨＤＲファイルによる画像とを同時に表示する際の処理の流れの一例を示すフローチャートである。
【００１８】
まず、Ｓ３００において、ＣＰＵ１０４が、表示制御部１０７に２つの画像を１画面に同時に表示することを指示する。そして、図３の時刻ｔ１に示すように、表示制御部１０７は表示部１０８にフレームメモリに記録された画像データに基づく画像を表示させないように動作する。例えば、表示制御部１０７が、表示部１０８に黒画面などの単色の画像や、処理中であることを明示するような所定の画像を表示するための画像データを出力する。
【００１９】
次に、Ｓ３０１において、ＣＰＵ１０４が、ユーザが指定した記録部から画像ファイル（ユーザが指定した画像ファイル）を読み込む。そして、Ｓ３０２において、ＣＰＵ１０４が、読み込んだ画像ファイルがＨＤＲファイル２００か非ＨＤＲファイル２０６かを判定する。
【００２０】
読み込んだ画像ファイルがＨＤＲファイル２００である場合には（Ｓ３０２：ｙｅｓ）、ＣＰＵ１０４が、ＨＤＲファイルに含まれる複数の画像データを、それぞれ、複数のフレームメモリに書き込む。
具体的には、Ｓ３０３において、ＣＰＵ１０４が、フレームメモリ１０５に濃い画像データ２０２を書き込む。
そして、Ｓ３０４において、ＣＰＵ１０４が、フレームメモリ１０６に淡い画像データ２０３を書き込む。なお、Ｓ３０４の処理とＳ３０３の処理の順番は逆であってもよい。
読み込んだ画像ファイルが非ＨＤＲファイル２０６である場合には（Ｓ３０２：ｎｏ）、ＣＰＵ１０４が、非ＨＤＲファイルに含まれる単一の画像データを複数のフレームメモリのそれぞれに書き込む。
具体的には、Ｓ３０５，Ｓ３０６において、ＣＰＵ１０４が、フレームメモリ１０５，１０６に、それぞれ、画像データ２０５を書き込む。
【００２１】
フレームメモリ１０５，１０６への書き込み処理後（Ｓ３０３とＳ３０４の処理後、または、Ｓ３０５とＳ３０６の処理後）、Ｓ３０７において、ＣＰＵ１０４は表示対象の全ての画像データがフレームメモリ１０５，１０６に書き込まれたか否かを判定する。表示対象の全ての画像データがフレームメモリ１０５，１０６に書き込まれていない場合には（Ｓ３０７：ｎｏ）、Ｓ３０１に戻る。表示対象の全ての画像データのフレームメモリ１０５，１０６への書き込みが完了したら（Ｓ３０７：ｙｅｓ）、Ｓ３０８へ進む。
ここでは、２つの画像を１画面に同時に表示するため、Ｓ３０１〜Ｓ３０７の処理を２度繰り返す。図３の例では、１つ目の画像ファイルとしてＨＤＲファイル２００が読み込まれる。そして、時刻ｔ２にフレームメモリ１０５へ濃い画像データ２０２が書き込まれ、時刻ｔ３にフレームメモリ１０６へ淡い画像データ２０３が書き込まれる。その後、２つ目の画像ファイルとして非ＨＤＲファイル２０６が読み込まれ、時刻ｔ４にフレームメモリ１０５，１０６へ画像データ２０５が書き込まれる。また、図３の例では、時刻ｔ３まで黒画面が表示される。
【００２２】
Ｓ３０８では、表示制御部１０７が、複数のフレームメモリを順番に切り替えながら、フレームメモリに書き込まれた全ての画像データを読み出して、表示部１０８に出力する。表示部１０８は、入力された画像データに基づく画像を表示する。図３の例では、フレームメモリ１０５，１０６から交互に画像データを読み出す（図３の時刻ｔ５、ｔ６）。その結果、濃い画像データ２０２に基づく画像と画像データ２０５に基づく画像とからなる画像と、淡い画像データ２０３に基づく画像と画像データ２０５に基づく画像とからなる画像とが交互に表示される。即ち、上述したフレームメモリの切り替えが、例えば、毎秒１２０回行われるとすると、ＨＤＲファイル２００については、濃い画像データ２０２に基づく画像と淡い画像データ２０３に基づく画像が毎秒１２０回交互に表示される（ＨＤＲ表示される）。一方、非ＨＤＲファイル２０６については、同じ画像（画像データ２０５に基づく画像）が繰り返し表示される。それにより、ＨＤＲファイルによる画像と非ＨＤＲファイルによる画像とを同時に表示する際に、ＨＤＲファイルについてはＨＤＲ表示をし、非ＨＤＲファイルについては一般的な表示方法で表示することができる。
【００２３】
なお、本実施例ではＨＤＲファイルが２つの画像データを含む場合について説明したが、ＨＤＲファイルには３つ以上の画像データが含まれていてもよい。また、表示装置が有するフレームメモリの数は、ＨＤＲファイルに含まれる画像データの数以上であればよい。
【００２４】
＜実施例２＞
次に、本発明の実施例２に係る表示装置及びその制御方法について説明する。なお、実施例１と同様の構成については同じ符号を付し、説明は省略する。図５は、本実施例に係
る表示装置４００の機能構成の一例を示すブロック図である。図５に示すように、本実施例に係る表示装置４００は、１つのフレームメモリ１０５を有する。
【００２５】
以下、本実施例に係る表示装置における、ＨＤＲファイルによる画像と非ＨＤＲファイルによる画像とを同時に表示する際の処理の流れについて説明する。特に、本実施例に係る表示装置におけるＣＰＵ４０４及び表示制御部１０７の機能について説明する。
図６は、本実施例において、ＨＤＲファイルによる画像と非ＨＤＲファイルによる画像とを同時に表示する際の、フレームメモリ１０５に書き込まれる画像データと、表示部１０８で表示される画像の一例を示す図である。
図７は、本実施例において、ＨＤＲファイルによる画像と非ＨＤＲファイルによる画像とを同時に表示する際の処理の流れの一例を示すフローチャートである。
【００２６】
まず、Ｓ６００において、ＣＰＵ４０４が、表示制御部４０７に２つの画像を１画面に同時に表示することを指示する。そして、図６の時刻ｔ１に示すように、表示制御部４０７は表示部１０８にフレームメモリに記録された画像データに基づく画像を表示させないように動作する。
【００２７】
次に、Ｓ６０１において、ＣＰＵ４０４が、ユーザが指定した記録部から画像ファイル（ユーザが指定した画像ファイル）を読み込む。そして、Ｓ６０２において、ＣＰＵ４０４が、読み込んだ画像ファイルがＨＤＲファイル２００か非ＨＤＲファイル２０６かを判定する。
【００２８】
読み込んだ画像ファイルがＨＤＲファイル２００である場合には（Ｓ６０２：ｙｅｓ）、Ｓ６０３へ進む。Ｓ６０３では、ＣＰＵ４０４が、ＨＤＲファイルに含まれる複数の画像データのいずれか（本実施例では濃い画像データ２０２）をフレームメモリ１０５へ書き込む（図６の時刻ｔ２）。
読み込んだ画像ファイルが非ＨＤＲファイル２０６である場合には（Ｓ６０２：ｎｏ）、Ｓ６０４へ進む。Ｓ６０４では、ＣＰＵ４０４が、非ＨＤＲファイルに含まれる単一の画像データ２０５をフレームメモリ１０５へ書き込む（図６の時刻ｔ３）。
【００２９】
（Ｓ６０３またはＳ６０４の）次に、Ｓ６０５において、ＣＰＵ４０４は表示対象の全ての画像データがフレームメモリ１０５に書き込まれたか否かを判定する。表示対象の全ての画像データがフレームメモリ１０５に書き込まれていない場合には（Ｓ６０５：ｎｏ）、Ｓ６０１に戻る。表示対象の全ての画像データのフレームメモリ１０５への書き込みが完了したら（Ｓ６０５：ｙｅｓ）、Ｓ６０６へ進む。
ここでは、２つの画像を１画面に同時に表示するため、Ｓ６０１〜Ｓ６０５の処理を２度繰り返す。図６の例では、１つ目の画像ファイルとしてＨＤＲファイル２００が読み込まれる。そして、時刻ｔ２にフレームメモリ１０５へ濃い画像データ２０２が書き込まれる。その後、２つ目の画像ファイルとして非ＨＤＲファイル２０６が読み込まれ、時刻ｔ３にフレームメモリ１０５へ画像データ２０５が書き込まれる。また、図６の例では、時刻ｔ３まで黒画面が表示される。
【００３０】
Ｓ６０６では、表示制御部４０７が、フレームメモリ１０５に書き込まれた全ての画像データを読み出して、表示部１０８に出力する。表示部１０８は入力された画像データに基づく画像を表示する（図６の時刻ｔ４）。具体的には、濃い画像データ２０２に基づく画像と画像データ２０５に基づく画像とからなる画像が表示される。
そして、Ｓ６０７において、ＣＰＵ４０４が、フレームメモリ１０５に書き込まれた画像データに基づく画像の表示が行われた回数をカウントする。本実施例では、カウント値（ＦＩ）の初期値を０とする。そして、Ｓ６０７において、ＦＩの値に１が加算される。
次に、Ｓ６０８において、画像の表示を終了するか否か（例えば、ユーザから画像の表
示の終了が指示された否か）を判定する。画像の表示を終了しない場合には（Ｓ６０８：ｎｏ）、Ｓ７００に進む。
【００３１】
Ｓ７００では、ＣＰＵ４０４が、記憶部から表示対象のＨＤＲファイル２００を読み出す。そして、Ｓ７０１において、ＣＰＵ４０４が、ＦＩの値が偶数か否かを判定する。ＦＩの値が偶数である場合には（Ｓ７０１：ｙｅｓ）、Ｓ７０２へ進み、奇数である場合には（Ｓ７０１：ｎｏ）、Ｓ７０３へ進む。
【００３２】
Ｓ７０２では、ＣＰＵ４０４が、フレームメモリ１０５に書き込まれた淡い画像データ２０３を、濃い画像データ２０２に書き替え、Ｓ６０６へ進む。
Ｓ７０３では、ＣＰＵ４０４が、フレームメモリ１０５に書き込まれた濃い画像データ２０２を、淡い画像データ２０３に書き替え、Ｓ６０６へ進む。
図６の時刻ｔ５では、ＩＦの値は奇数であるため、Ｓ６０６において、淡い画像データ２０３に基づく画像と画像データ２０５に基づく画像とからなる画像が表示される。
【００３３】
このように、本実施例では、フレームメモリ１０５に書き込まれた全ての画像データが繰り返し読み出されて表示される。また、ＨＤＲファイルについては、ＨＤＲファイルに含まれる複数の画像データのうち、フレームメモリ１０５に書き込まれる画像データが、表示制御部４０７による読み出しのタイミングと同期して順番に切り替えられる。即ち、表示制御部４０７による読み出しが、例えば、毎秒１２０回行われるとすると、ＨＤＲファイル２００については、濃い画像データ２０２に基づく画像と淡い画像データ２０３に基づく画像が毎秒１２０回交互に表示される（ＨＤＲ表示される）。一方、非ＨＤＲファイル２０６については、（ＦＩの値によらず）同じ画像（画像データ２０５に基づく画像）が繰り返し表示される。それにより、ＨＤＲファイルによる画像と非ＨＤＲファイルによる画像とを同時に表示する際に、ＨＤＲファイルについてはＨＤＲ表示をし、非ＨＤＲファイルについては一般的な表示方法で表示することができる。
【００３４】
なお、本実施例ではＨＤＲファイルが２つの画像データを含む場合について説明したが、ＨＤＲファイルには３つ以上の画像データが含まれていてもよい。
また、本実施例では、ＦＩの値が偶数か奇数かに応じてフレームメモリ内の画像データの書き替えを行う構成としたが、どの画像データに書き替えるかの判断方法はこれに限らない。例えば、ＨＤＲファイルに３つの画像データが含まれている場合には、該３つの画像データに基づく画像が順番に表示されるようにフレームメモリ内の画像データが書き替えられればよい。
【００３５】
以上述べたように、本実施形態に係る表示装置及びその制御方法によれば、ＨＤＲファイルによる画像と、非ＨＤＲファイルによる画像とをそれぞれ適切な表示方法で１画面に同時に表示することが可能となる。
なお、上記実施例１，２では、ＨＤＲ表示をする際に暗い画像を先に表示する構成としたが、ＨＤＲ表示をする際に表示する画像の順番はこれに限らない。例えば、明るい画像からを先に表示してもよい。明るさが異なる画像が交互に表示されれば、どのような順番で表示してもよい。
【符号の説明】
【００３６】
１００，４００・・・表示装置  １０４，４０４・・・ＣＰＵ  １０５，１０６・・・フレームメモリ  １０７，４０７・・・表示制御部
【図１】
2011081199.tif 000003
【図２】
2011081199.tif 000004
【図３】
2011081199.tif 000005
【図４】
2011081199.tif 000006
【図５】
2011081199.tif 000007
【図６】
2011081199.tif 000008
【図７】
2011081199.tif 000009